(57)【要約】【課題】  被印刷物に対して精度良く印刷を施すことができる平台型オフセット印刷機を提供する。【解決手段】  平台型オフセット印刷機１０はフレーム１１と、フレーム１１上に固定して配置された版定盤１２および印刷定盤１３とを備えている。印刷定盤１３上に被印刷物Ｗが配置されている。フレーム１１上にキャリッジ１５が移動自在に設けられ、ブランケットキャリッジ１５内にブランケット胴１４と可動側インキ供給部２１が保持されている。ブランケット胴１４の両側に、各々一対のピニオンギア３１ａ，３１ｂ，３２ａ，３２ｂが設けられ、フレーム１１上にラックギア３３ａ，３３ｂ，３４ａ，３４ｂが設けられている。ピニオンギア３１ａ，３２ａの前方側にバックラッシが形成され、ピニオンギア３１ｂ，３１ｂの後方側にバックラッシが形成されている。【選択図】  図１
2005059346.tif 000002
【特許請求の範囲】
【請求項１】
フレームと、
フレーム上に固定され、版を保持する版定盤と、
フレーム上に固定され、被印刷物を保持する印刷定盤と、
フレームに沿って前後方向へ移動するキャリッジと、
キャリッジに保持されたブランケット胴および可動側インキ供給部とを備え、
ブランケット胴の両側に、各々一対ずつのピニオンギアが設けられ、
フレーム上に各ピニオンギアに係合するラックギアが設けられ、
ブランケット胴の各側のピニオンギアおよびラックギアに関し、一方のピニオンギアの前方側と対応するラックギアとの間でバックラッシが生じる場合、他方のピニオンギアの後方側と対応するラックギアとの間でバックラッシが生じることを特徴とする平台型オフセット印刷機。
【請求項２】
各ピニオンギアと、対応するラックギアは、平歯ギアからなることを特徴とする請求項１記載の平台型オフセット印刷機。
【請求項３】
各ピニオンギアと、対応するラックギアは、はず歯ギアからなることを特徴とする請求項１記載の平台型オフセット印刷機。
【請求項４】
ブランケット胴の各側のピニオンギアおよびラックギアに関し、一方のピニオンギアおよび対応するラックギアと、他方のピニオンギアおよび対応するラックギアは、互いにモジュールが相違することを特徴とする請求項１記載の平台オフセット印刷機。
【発明の詳細な説明】
【技術分野】
【０００１】
本発明は平台型オフセット印刷機に係り、とりわけ精度良く印刷することができる平台型オフセット印刷機に関する。
【背景技術】
【０００２】
従来より、平台型オフセット印刷機として、フレームと、フレーム上に固定された版定盤および印刷定盤と、フレームに沿って移動するキャリッジと、キャリッジ内に保持されたブランケット胴とを備えたものが知られている。またキャリッジ内にはインキ供給部が内蔵されている。
【０００３】
このような平台型オフセット印刷機において、キャリッジがフレームに沿って移動することにより、インキ供給部によって予め版定盤の版に充てんされたインキがブランケット胴へ受理され、このブランケット胴のインキがその後印刷定盤上の被印刷物へ転写される。
【発明の開示】
【発明が解決しようとする課題】
【０００４】
ところでキャリッジをフレーム上で移動させる際、ブランケット胴に設けられたピニオンギアをフレーム上のラックギアに係合させることにより、ブランケット胴の駆動および位置決めを行なっている。
【０００５】
ところでピニオンギアとラックギアとの間には、必ずバックラッシが存在する。ブランケット胴を正転および逆転させた場合、あるいはブランケット胴の速度を変化させた場合、バックラッシにより、ブランケット胴がフレーム上で左右にぶれることがある。この場合はブランケット胴を精度良くフレーム上で位置決めすることはむずかしい。とりわけ、数μｍ〜数十μｍの寸法精度が求められる微細パターンを精度良く印刷することはむずかしい。
【０００６】
本発明はこのような点を考慮してなされたものであり、微細パターンであっても高精度に印刷することができる平台型オフセット印刷機を提供することを目的とする。
【課題を解決するための手段】
【０００７】
本発明は、フレームと、フレーム上に固定され、版を保持する版定盤と、フレーム上に固定され、被印刷物を保持する印刷定盤と、フレームに沿って前後方向へ移動するキャリッジと、キャリッジに保持されたブランケット胴および可動側インキ供給部とを備え、ブランケット胴の両側に、各々一対ずつのピニオンギアが設けられ、フレーム上に各ピニオンギアに係合するラックギアが設けられ、ブランケット胴の各側のピニオンギアおよびラックギアに関し、一方のピニオンギアの前方側と対応するラックギアとの間でバックラッシが生じる場合、他方のピニオンギアの後方側と対応するラックギアとの間でバックラッシが生じることを特徴とする平台型オフセット印刷機である。
【０００８】
本発明は、各ピニオンギアと、対応するラックギアは、平歯ギアからなることを特徴とする平台型オフセット印刷機である。
【０００９】
本発明は、各ピニオンギアと、対応するラックギアは、はず歯ギアからなることを特徴とする平台型オフセット印刷機である。
【００１０】
本発明は、ブランケット胴の各側のピニオンギアおよびラックギアに関し、一方のピニオンギアおよび対応するラックギアと、他方のピニオンギアおよび対応するラックギアは、互いにモジュールが相違することを特徴とする平台オフセット印刷機である。
【発明の効果】
【００１１】
本発明によれば、ブランケット胴をフレーム上で左右にぶれることなく精度良く位置決めすることができるので、微細のパターンを被印刷物へ精度良く印刷することができる。
【発明を実施するための最良の形態】
【００１２】
以下、図面を参照して本発明の実施の形態について説明する。図１乃至図３は、本発明の一実施の形態を示す図である。図１乃至図３に示すように、平台型オフセット印刷機１０はフレーム１１と、フレーム１１上に固定された版定盤１２および印刷定盤１３とを備えている。
【００１３】
このうち版定盤１２は、版１２ａを保持するとともに、この版定盤１２上の版１２ａにインキが充てんされるようになっている。また印刷定盤１３は被印刷物Ｗを保持するものであり、この被印刷物Ｗは金属板またはガラス板からなっている。そして被印刷物Ｗに対して、後述のようにブランケット胴１４のブランケット１４ａによりインキを用いて印刷を施すようになっている。
【００１４】
またフレーム１１上には、フレーム１１に沿って移動するキャリッジ１５が配置されており、このキャリッジ１５内にはブランケット胴１４と可動側インキ供給部２１とが保持されている。
【００１５】
この場合、キャリッジ１５は図１の右側（前方側）へ前進することができるとともに、図１の左側（後方側）へ後退することができる。
【００１６】
ブランケット胴１４は、その外周にゴム製のブランケット１４ａが巻付けられている。ブランケット胴１４は版定盤１２上の版１２ａのインキをブランケット１４ａ上に受理して、この受理したインキを印刷定盤１３上の被印刷物Ｗへ転写するようになっている。
【００１７】
キャリッジ１５により保持された可動側インキ供給部２１は、版定盤１２上の版１２ａへインキを供給するものであり、キャリッジ１５の移動とともに、可動側インキ供給部２１もフレーム１１上を移動することができる。
【００１８】
また、フレーム１１には、キャリッジ１５側の可動側インキ供給部２１側へインキを供給する固定側インキ供給部２５が設けられている。この固定側インキ供給部２５は、フレーム１１に対して固定して設置されている。
【００１９】
次に可動側インキ供給部２１と固定側インキ供給部２５について詳述する。
【００２０】
図１に示すように、可動側インキ供給部２１は、キャリッジ１５内に保持されており、複数の着けローラ２４、２４と、各着けローラ２４、２４の間に設けられた練りローラ２２とを有している。
【００２１】
一方、固定側インキ供給部２５は、着けローラ２４、２４に対応するインカーローラ２６、２６と、各インカーローラ２６、２６の間に設けられた中間ローラ２７とを有している。
【００２２】
図１１において、可動側インキ供給部２１と固定側インキ供給部２５とによりインキ供給部２１、２５が構成され、固定側インキ供給部２５から可動側インキ供給部２１へインキが供給されるようになっている。そして可動側インキ供給部２１に供給されたインキは、その後、版定盤１２上の版１２ａへ供給される。
【００２３】
この場合、固定側インキ供給部２５において、インキつぼ（図示せず）内のインキがインカーローラ２６へ送られる。また可動側インキ供給部２１において、インカーローラ２６から供給されたインキが着けローラ２４、２４、および練りローラ２２間で保持され、練り作業が行なわれるようになっている。
【００２４】
また、可動側インキ供給部２１から版定盤１２上の版１２ａへインキを供給する場合、着けローラ２４、２４から版定盤１２上の版へインキが供給されるようになっている。
【００２５】
また、ブランケット胴１４の両側に、各々一対ずつのピニオンギア３１ａ，３１ｂおよびピニオンギア３２ａ，３２ｂが設けられている。またフレーム１１上には各ピニオンギア３１ａ，３１ｂおよび３２ａ，３２ｂに対応して、ブランケット胴１４の両側に各々一対ずつのラックギア３３ａ，３３ｂおよびラックギア３４ａ，３４ｂが設けられている。
【００２６】
ピニオンギア３１ａ，３１ｂ，３２ａ，３２ｂおよびラックギア３３ａ，３３ｂ，３４ａ，３４ｂはいずれも平歯ギアからなっている。これらのギアのうち、ブランケット胴１４の一側、例えば図３の右側におけるピニオンギア３１ａ，３１ｂおよびラックギア３３ａ，３３ｂの構造について以下説明する。
【００２７】
ピニオンギア３１ａ，３１ｂのうち、一方例えばピニオンギア３１ａと対応するラックギア３３ａとの間には、一般にバックラッシＢが形成される（図２参照）。このバックラッシＢはその大きさの程度を抑えることは可能であるが、このバックラッシＢは例えばピニオンギア３１ａの図１右側（キャリッジ１５の前方側）とラックギア３３ａの左側との間に生じる。
【００２８】
このとき、他方のピニオンギア３１ｂと対応するラックギア３３ｂとの間にもバックラッシＢが形成されるが、この場合バックラッシＢをピニオンギア３１ｂのキャリッジ１５の後方側とラックギア３３ｂとの間に形成する。
【００２９】
同様にして、ブランケット胴１４の図３の左側におけるピニオンギア３２ａ，３２ｂおよびラックギア３４ａ，３４ｂについても、ピニオンギア３２ａのキャリッジ１５の前方側と対応するラックギア３４ａとの間にバックラッシＢを形成するとともに、ピニオンギア３２ｂのキャリッジ１５の後方側と対応するラックギア３４ｂとの間にバックラッシＢを形成する。
【００３０】
このようにピニオンギア３１ａの前方側と対応するラックギア３３ａとの間にバックラッシＢを形成し、ピニオンギア３１ｂの後方側と対応するラックギア３３ｂとの間にバックラッシＢを形成することにより、ブランケット胴１４の図３の右側においてブランケット胴１４がぶれることはない。またピニオンギア３２ａの前方側と対応するラックギア３４ａとの間にバックラッシＢを形成し、ピニオンギア３２ｂの後方側と対応するラックギア３４ｂとの間にバックラッシＢを形成することにより、ブランケット胴１４の図３の左側においてブランケット胴１４がぶれることはない。
【００３１】
このためフレーム１１上でブランケット胴１４とキャリッジ１５が前進しあるいは後退した場合、ブランケット胴１４が左右にぶれることはなく、フレーム１１上で精度良く位置決めされる。
【００３２】
このため版定盤１２上の版１２ａからブランケット胴１４上にインキを精度良く受理することができ、次にブランケット胴１４上のインキを印刷定盤１３上の被印刷物Ｗへ精度良く転写することができる。
【００３３】
なお、例えばピニオンギア３１ａ，３１ｂ間において、バックラッシＢをピニオンギア３１ａの前方側に形成するとともに、ピニオンギア３１ｂの後方側に形成する場合、ピニオンギア３１ａとラックギア３３ａのモジュールを小さくし、ピニオンギア３１ｂとラックギア３３ｂのモジュールを大きくする。このことにより、バックラッシＢの形成位置をピニオンギア３１ａの前方側およびピニオンギア３１ｂの後方側にもってくることができる。
【００３４】
同様にピニオンギア３２ａとラックギア３４ａのモジュールを小さくし、ピニオンギア３２ｂとラックギア３４ｂのモジュールを大きくすることにより、ピニオンギア３２ａの前方側およびピニオンギア３２ｂの後方側にバックラッシＢを形成することができる。
【００３５】
以上のように本実施の形態によれば、キャリッジ１５がフレーム１１上を走行する間、上述のようにピニオンギア３１ａ，３１ｂと、ラックギア３３ａ，３３ｂ間において、バックラッシＢがピニオンギア３１ａ，３１ｂの前方および後方に形成され、ピニオンギア３２ａ，３２ｂとラックギア３４ａ，３４ｂ間において、バックラッシＢがピニオンギア３２ａ，３２ｂの前方および後方に形成されるため、ブランケット胴１４を左右にぶれることなく、フレーム１１上で精度良く位置決めすることができる。このため、ブランケット胴１４を用いて被印刷物Ｗに精度良く印刷を施すことができる。
【００３６】
なお、上記実施の形態において、ピニオンギア３１ａ，３１ｂ，３２ａ，３２ｂおよびラックギア３３ａ，３３ｂ，３４ａ，３４ｂを、各々平歯ギアから形成した例を示したが、これに限らずピニオンギア３１ａ，３１ｂ，３２ａ，３２ｂおよびラックギア３３ａ，３３ｂ，３４ａ，３４ｂをはず歯ギアから形成してもよい（図４参照）。図４において、ピニオンギア３１ａ，３１ｂ，３２ａ，３２ｂのうち、ピニオンギア３１ａ，３１ｂのはず歯ギアの歯の方向は左下方から右上方へ延び、ピニオンギア３２ａ，３２ｂのはず歯の方向は右下方から左上方へ延びている。
【００３７】
図４において、ブランケット胴１４の左右のぶれを防止することができるとともに、ブランケット胴１４の幅方向の位置決めも精度よく行なうことができる。
【図面の簡単な説明】
【００３８】
【図１】本発明による平台型オフセット印刷機の一実施の形態を示す斜視図。
【図２】ピニオンギアとラックギアとの間のバックラッシを示す図。
【図３】平台型オフセット印刷機を示す正面図。
【図４】平台型オフセット印刷機の変形例を示す図。
【符号の説明】
【００３９】
１０  平台型オフセット印刷機
１１  フレーム
１２  版定盤
１２ａ  版
１３  印刷定盤
１４  ブランケット胴
１４ａ  ブランケット
１５  ブランケットキャリッジ
２１  可動側インキ供給部
２５  固定側インキ供給部
３１ａ，３１ｂ，３２ａ，３２ｂ  ピニオンギア
３３ａ，３３ｂ，３４ａ，３４ｂ  ラックギア
Ｗ  被印刷物
【図１】
2005059346.tif 000003
【図２】
2005059346.tif 000004
【図３】
2005059346.tif 000005
【図４】
2005059346.tif 000006